(57)【要約】【課題】簡単な構成でアース電極の帯電を防止し、イオンの連続放射を行うことが出来るイオン電極またはそれを用いた電気掃除機を提供することを目的とする。【解決手段】イオンを放出するイオン電極３と、イオンが放出される開口部４ａを有し前記イオン電極３を覆うように配置した中空のアース電極４とを備え、前記アース電極４は、前記アース電極４の断面積が前記開口部４ａ方向に向かって大きくなるよう形成したイオン発生装置で、アース電極４への逆電荷の帯電を軽減するものである。【選択図】　図２
2004033454.tif 000002
【特許請求の範囲】
【請求項１】
イオンを放出するイオン電極と、イオンが放出される開口部を有し前記イオン電極を覆うように配置した中空のアース電極とを備え、前記アース電極は、前記アース電極の断面積が前記開口部方向に向かって大きくなるよう形成したイオン発生装置。
【請求項２】
イオンを放出するイオン電極と、イオンが放出される開口部を有し前記イオン電極を覆うように配置した中空のアース電極とを備え、前記アース電極は、前記アース電極の断面積が前記開口部方向に向かって小さくなるよう形成するとともに、前記イオン電極内に空気を通過させるイオン発生装置。
【請求項３】
イオンを放出するイオン電極と、イオンが放出される開口部と有し前記イオン電極を覆うように配置した中空のアース電極とを備え、前記アース電極は、前記アース電極の内壁に螺旋状の溝を形成するとともに、前記イオン電極内に空気を通過させるイオン発生装置。
【請求項４】
上記請求項１〜３のいずれか１項に記載のイオン発生装置が発するイオンが、吸引風を発する電動送風機の吸引風中に放出されるよう構成した電気掃除機。
【請求項５】
上記請求項１〜３のいずれか１項に記載のイオン発生装置が発するイオンが、吸引風を発する電動送風機の排気風中に放出されるよう構成した電気掃除機。
【発明の詳細な説明】
【０００１】
【発明の属する技術分野】
本発明は、イオンを発生させるイオン発生装置の構造およびそれを有する電気掃除機に関するものである。
【０００２】
【従来の技術】
従来より、５ｋＶ程度の高圧回路を構成しそれを電極にてコロナ放電を起させることによってイオンを発生させるイオン発生装置が知られている。
【０００３】
この種のイオン発生装置は、一般に図４に示すように、５ｋＶもの高圧が印加されるイオン電極５１と、製品外郭近傍に配置しイオン電極５１の外力による変形防止や製品への取付け性向上の目的を兼ねてイオン電極５１を取り囲むように周囲に配置したアース電極５２から構成されている。
【０００４】
【発明が解決しようとする課題】
しかしながら前記アース電極５２自体がイオン電極５１の電荷によって逆極性に帯電すると、イオン電極５１からはイオンの連続放射が出来なくなるため、アース電極５２の外郭を交流電源の片側に高抵抗値を介して接続し、アース電極５２の帯電を防止する必要があった。一般的には前記高圧回路の回路グランドにアース線５３にて接続することによって、逆極性の帯電電荷を放出していた。
【０００５】
本発明はこのような課題を解決するもので、簡単な構成でアース電極５２の帯電を防止し、イオンの連続放射を行うことが出来るイオン発生装置およびそれを用いた電気掃除機を提供することを目的とする。
【０００６】
【課題を解決するための手段】
上記目的を達成するために本発明は、イオンを放出するイオン電極と、イオンが放出される開口部を有し前記イオン電極を覆うように配置した中空のアース電極とを備え、前記アース電極は、前記アース電極の断面積が前記開口部方向に向かって大きくなるよう形成したイオン発生装置で、アース電極への逆電荷の帯電を軽減するものである。
【０００７】
【発明の実施の形態】
本発明の請求項１記載の発明は、イオンを放出するイオン電極と、イオンが放出される開口部を有し前記イオン電極を覆うように配置した中空のアース電極とを備え、前記アース電極は、前記アース電極の断面積が前記開口部方向に向かって大きくなるよう形成したイオン発生装置で、アース電極への逆電荷の帯電を軽減してイオンの連続放射性を向上できる。
【０００８】
本発明の請求項２記載の発明は、イオンを放出するイオン電極と、イオンが放出される開口部を有し前記イオン電極を覆うように配置した中空のアース電極とを備え、前記アース電極は、前記アース電極の断面積が前記開口部方向に向かって小さくなるよう形成するとともに、前記イオン電極内に空気を通過させるイオン発生装置で、イオンの連続放射性を向上できる。
【０００９】
本発明の請求項３記載の発明は、イオンを放出するイオン電極と、イオンが放出される開口部と有し前記イオン電極を覆うように配置した中空のアース電極とを備え、前記アース電極は、前記アース電極の内壁に螺旋状の溝を形成するとともに、前記イオン電極内に空気を通過させるイオン発生装置で、イオンの連続放射性を向上できる。
【００１０】
本発明の請求項４記載の発明は、上記請求項１〜３のいずれか１項に記載のイオン発生装置が発するイオンが、吸引風を発する電動送風機の吸引風中に放出されるよう構成した電気掃除機で、塵埃の電荷を中和させることを特徴とする。
【００１１】
本発明の請求項５記載の発明は、上記請求項１〜３のいずれか１項に記載のイオン発生装置が発するイオンが、吸引風を発する電動送風機の排気風中に放出されるよう構成した電気掃除機で、イオン電極及びアース電極を電気掃除機の排気側に配置して、排気風にてイオンを送風することを特徴とする。
【００１２】
【実施例】
（実施例１）
以下、本発明の第１の実施例を、図１および図２を用いて説明する。
【００１３】
図において、１はマイナス５ｋＶ程度の高圧を発生する高圧回路であり、高圧電線２によりイオン電極３に接続され、その先端からはコロナ放電によりマイナスイオンが放射されている。
【００１４】
４はイオン電極３の周囲に配置された中空のアース電極であり、その形状はイオンが放出される開口部４ａに向かって断面積が大きくなるようすり鉢状に形成してある。また、５はアース電極の帯電電荷を中和するために高圧回路のグランドに接続するアース線である。
【００１５】
これにより、特に帯電しやすいイオン電極３先端近傍であるアース電極４の開口部４ａへのプラス電荷の帯電を大幅に低減することができ、イオン電極３からはイオンの連続放射性を向上することができる。さらに、上記アース電極４内に空気を流すことにより、イオン電極３で発生したマイナスイオンは高速で移動されるため、上記効果はより一層高まる。
【００１６】
（実施例２）
次に本発明の第２の実施例を、図３および図４を用いて説明する。なお、前記第１の実施例と同一構成部品については同一符号を付してここでは説明は省略する。
【００１７】
図において、６はイオン電極３の周囲に配置された中空のアース電極であり、掃除機本体１０の後部や後上部に設けてあり、そのアース電極６の形状はイオンが放出される開口部６ａに向かって断面積が小さくなるようすり鉢状に形成してあり、そこには掃除機本体１０内に配設された電動送風機１１からの排気風が送られ、前記アース電極６内を通過する。
【００１８】
電動送風機１１からの排気風は、先細になったアース電極６内で風速が加速されるので、イオン電極３で発生したマイナスイオンは高速で移動されるため、イオン電極３表面には常に中性の空気が供給されるので（人を癒す作用があるといわれている）マイナスイオンの連続放射性を向上できる。
【００１９】
さらに本実施例によると、イオン電極３付近には中和した空気が多く存在するため、アース電極６がプラス電荷に帯電することをが大幅に低減でき、従来高圧回路１と接続していたアース線は不要にでき、組立性向上とコスト低減が可能になる。
【００２０】
（実施例３）
次に本発明の第３の実施例を図５および図６を用いて説明する。なお、前記第１または第２の実施例と同一構成部品については同一符号を付してここでは説明は省略する。
【００２１】
図において、７はイオン電極３の周囲に配置された中空のアース電極であり、掃除機本体１０の集塵室１２内にイオンが放出されるように取り付けてあり、そのイオン電極３の内壁には螺旋状の溝７ａを設け、そこに掃除機本体１０の電動送風機１１への吸気風が送られ、前記アース電極７内を通過する。
【００２２】
電動送風機１１への吸引風により、螺旋状になったアース電極７内では渦が発生するので、イオン電極３で発生したマイナスイオンは、イオン電極３表面から飛散し高速で移動されるため、イオン電極３表面には常に中性の空気が供給されるのでマイナスイオンの連続放射性を向上できる。これにより、プラスに帯電している塵埃を収納する集塵室１２内を中和することができ、集塵室１２内への塵埃の付着を防止できる。
【００２３】
さらに本実施例によると、実施例２と同様に、イオン電極３付近には中和した空気が多く存在するためアース電極７がプラス電荷に帯電することをが大幅に低減でき、従来高圧回路１と接続していたアース線は不要にでき、組立性向上とコスト低減が可能になる。
【００２４】
また、実施例１〜３のアース電極４、６または７は、いずれを掃除機本体１０の電動送風機１１の吸気側または排気側に配置しても同様の効果を得ることができる。
【００２５】
【発明の効果】
本発明によれば、極めて簡単な構成でアース電極の帯電を防止し、イオンの連続放射を行うことができるイオン電極やそれを用いた電気掃除機を提供することができる。
【図面の簡単な説明】
【図１】本発明の第１の実施例を示すイオン発生装置の外観図
【図２】同イオン発生装置の断面図
【図３】本発明の第２の実施例を示すイオン発生装置の掃除機本体への配置図
【図４】同イオン発生装置の断面図
【図５】本発明の第３の実施例を示すイオン発生装置の掃除機本体への配置図
【図６】同イオン発生装置の断面図
【図７】従来のイオン発生装置の断面図
【符号の説明】
３　イオン電極
４、６、７　アース電極
【図１】
2004033454.tif 000003
【図２】
2004033454.tif 000004
【図３】
2004033454.tif 000005
【図４】
2004033454.tif 000006
【図５】
2004033454.tif 000007
【図６】
2004033454.tif 000008
【図７】
2004033454.tif 000009